【事件の表示】
　特許第３０９８６３０号「車両洗浄装置の洗浄体」の請求項１に係る特許に対する特許異議の申立てについて、次のとおり決定する。
【結　論】
　訂正を認める。
　特許第３０９８６３０号の請求項１に係る特許を維持する。
【理　由】
一．［手続の経緯］
　本件特許第３０９８６３０号（以下、「本件特許」という）は、平成４年９月７日に出願された特願平４−２６２７５３号に係り、平成１２年８月１１日に設定登録されたが（請求項の数１）、本件特許に対して、表記の各特許異議申立人より、それぞれ特許異議の申立があったので、当審において当該申立の理由を検討の上、平成１３年７月２日付で、第１回目の特許取消理由の通知（以下、「第１回取消理由通知」という）をしたところ、その通知書で指定した期間内の平成１３年９月４日に、特許異議意見書の提出と共に訂正請求があった。
　当該訂正請求の内容を検討した結果、先の第１回取消理由通知で指摘したところ以外の取消理由が発見されたので、当審より、平成１３年１０月１１日付で、その旨を指摘した特許取消理由の通知（以下、「第２回取消理由通知」という）をしたが、これに対して特許権者は、平成１３年９月４日付の訂正請求を取下げると共に、平成１３年１２月２０日付で新たに訂正請求をした。
　そこで、更に検討の結果、上記新たな訂正請求の内容についても、別途の取消理由が発見されたので、当審より、平成１３年１２月２７日付で、その旨を指摘した特許取消理由の通知（以下、「第３回取消理由通知」という）をしたが、これに対して特許権者は、平成１３年１２月２０日付の訂正請求を取下げると共に、平成１４年３月１２日付で、あらためて訂正請求をしたものである。
　
二．［訂正請求について］
　１．訂正の要旨
　上記平成１４年３月１２日付訂正請求における訂正の要旨は、次のイ、ロのとおりである。
　イ　願書に添付した明細書（以下、「特許明細書」という）における、特許請求の範囲（請求項１）について、
　「回転体に取り付けられ、車体の表面に接触させて該車体の表面を洗浄する、洗浄装置の洗浄体であって、
　前記洗浄体は、長繊維不織布から成ることを特徴とする、車両洗浄装置の洗浄体。」という記載に代えて、
　「回転体に取り付けられ、車体の表面に接触させて該車体の表面を洗浄する、洗浄装置の洗浄体であって、
　前記洗浄体は、平面図形が長方形を呈する長繊維不織布から成り、その辺に沿う複数の山折りと谷折りとから成る波状に折り曲げたものが複数個円盤状に接続されて形成されるものであって、その回転体への取付部は、前記長方形の略中央部に位置する前記波状の折り曲部と一致する位置に入れられた、端部からの所定深さの切り込みにより、左右に分離した後、内側に曲げて固定されていることを特徴とする、車両洗浄装置の洗浄体。」という記載に訂正する。
　ロ　特許明細書の「発明の詳細な説明」の欄において、上記イの訂正事項に関連する箇所（【０００６】欄の「課題を解決するための手段」）について、上記イと同趣旨の訂正をする。　
　２．訂正請求の適否
　（１）訂正の目的
　上記イの訂正事項は特許請求の範囲の減縮を目的とするものと認められるし、上記ロの訂正事項は、明細書の前後における齟齬を解消しようとするもので、明瞭でない記載の釈明を目的とするものと認められる。
　（２）新規事項の有無
　上記イ、ロの訂正事項は、いずれも登録時における特許明細書（【００１６】〜【００１８】）及び図面（図９〜図１７）に記載された事項の範囲内において、訂正しようとするものと認められる。
　（３）拡張、変更の有無
　上記イ、ロの各訂正事項の内容は、その訂正の趣旨からみて、特許明細書に記載されている発明の目的の範囲を逸脱するところはなく、特許請求の範囲を実質的に拡張又は変更するものでない。
　（４）訂正事項の適法性と訂正請求の認容
　上記（１）〜（３）で検討したところによれば、上記の各訂正事項は、特許法第１２０条の４第２項第１、３号に掲げる事項を目的とするものであって、特許法第１２０条の４第３項で準用され、平成６年法律第１１６号附則第６条第１項で、なお従前の例によるとされることにより適用される、同法律第１１６号による改正前の特許法第１２６条第１項ただし書き、同条第２項の規定に適合しているので、上記訂正の請求は認容される。
　
三．［特許異議申立ての理由並びに特許取消理由及び関連する証拠］
　１．特許異議申立て理由　−その１＜佐藤喜久雄の主張＞−
　特許異議申立人佐藤喜久雄は、甲第１号証として、米国特許第５１２７１２３号明細書（以下、「刊行物１」という）、甲第２号証として「月刊コンバーテック」１９９１年７月号（加工技術研究会発行、以下、「刊行物２」という）を提出して、次の趣旨の主張をしている。
　上記の刊行物１には、車両の回転洗浄体を、不織布を用いて構成する技術の開示があり、一方、長繊維不織布は、刊行物２に示されているように、周知の素材である。したがって、車両の回転洗浄体として、長繊維不織布を用いることを規定した本件特許に係る発明は、実質上、刊行物１に記載された発明といえるから、本件特許は特許法第２９条第１項の規定に違反して受けたものである。
　２．特許異議申立て理由　−その２＜株式会社ダイフクの主張＞−
　特許異議申立人株式会社ダイフクは、甲第１〜５号証として、特開平４−２２８３４６号公報（以下、「刊行物３」という）、実願昭５９−３４０８９号（実開昭６０−１４６４２７号）のマイクロフィルム（以下、「刊行物４」という）、特公昭６２−１０２７号公報（以下、「刊行物５」という）、特開平２−１９１４２２号公報（以下、「刊行物６」という）、「NONWOVENS REVIEW　不織布の市場と技術」１９９０年１２月号（株式会社テックタイムス発行、以下、「刊行物７」という）を提出して、次の趣旨の主張をしている。
　上記の刊行物３及び４には、車両の回転洗浄体として、不織布を用いる旨の記載があり、一方、長繊維不織布が、引張り強度等に優れ、洗浄用の材料等にも用いられることは刊行物５以下に示されているように、公知の事項である。したがって、車両の回転洗浄体として、長繊維不織布を用いるとした本件特許に係る発明は、刊行物３〜７に記載された発明に基づいて、当業者が容易に発明をすることができたものといえるから、本件特許は特許法第２９条第２項の規定に違反して受けたものである。
　３．特許取消理由と引用された刊行物　
　当審より通知した第１〜第３回の取消理由は、いずれも、本件特許に係る請求項の発明は、その出願前に頒布された刊行物に記載された発明に基づいて当業者が容易に発明をすることができたものであるから、本件特許は特許法第２９条第２項の規定に違反して受けたというものであり、上記の取消理由に引用された刊行物で、上記１．及び２．で指摘した刊行物１〜７以外のものは、第２回の取消理由通知で引用された、実公昭５０−３０２３３号公報（以下、「刊行物８」という）、実公昭５１−４９８１１号公報（以下、「刊行物９」という）、及び、第３回の取消理由通知で引用された、米国特許第２６６０８４１号明細書（以下、「刊行物１０」という）である。
　
四．［当審の判断］
　１．本件特許発明
　上記二．のとおり、訂正請求が認容されたので、本件特許発明は、本件特許明細書（上記平成１４年３月１２日付の訂正請求書に添付された訂正明細書）の特許請求の範囲における、請求項１に記載された事項によって特定される次のとおりのものと認める。
　【請求項１】「回転体に取り付けられ、車体の表面に接触させて該車体の表面を洗浄する、洗浄装置の洗浄体であって、
　前記洗浄体は、平面図形が長方形を呈する長繊維不織布から成り、その辺に沿う複数の山折りと谷折りとから成る波状に折り曲げたものが複数個円盤状に接続されて形成されるものであって、その回転体への取付部は、前記長方形の略中央部に位置する前記波状の折り曲部と一致する位置に入れられた、端部からの所定深さの切り込みにより、左右に分離した後、内側に曲げて固定されていることを特徴とする、車両洗浄装置の洗浄体。」（以下、「本件特許発明」という）
　２．特許異議申立て理由　−その１＜佐藤喜久雄の主張＞−について
　特許異議申立て理由（−その１−）に関して提出された、上記の刊行物１には、自動車のタイヤ表面等を処理するための「回転式布ロール組立体」に用いる「回転式布」として、不織布を使用することが開示され、同刊行物２には、長繊維不織布が各種の技術分野で利用されている旨の記載がある。
　一方、本件特許発明に係る洗浄体は、長繊維不織布から成るというばかりではなく、上記のとおり、「平面図形が長方形を呈する長繊維不織布から成り、その辺に沿う複数の山折りと谷折りとから成る波状に折り曲げたものが複数個円盤状に接続されて形成されるものであって、その回転体への取付部は、前記長方形の略中央部に位置する前記波状の折り曲部と一致する位置に入れられた、端部からの所定深さの切り込みにより、左右に分離した後、内側に曲げて固定されている」という構成（以下、「相違点の構成」という）も備えるものとなっており、この相違点の構成について、上記刊行物１、２には、全く言及がないし、当該相違点の構成を、自明あるいは周知のものとしうる根拠もない。
　したがって、本件特許発明は、刊行物１に記載された発明とはいえないから、特許異議申立人佐藤喜久雄の主張は採用できない。
　３．特許異議申立て理由　−その２＜株式会社ダイフクの主張＞−について
　特許異議申立て理由（−その２−）に関して提出された、上記の刊行物３には、「洗車設備用不織布製洗浄体」が「回転ブラシ」等の「ロール体」として用いられることが、また、刊行物４には、「合成繊維不織布と合成樹脂毛」を取り付けた、回転式の「洗車ブラシ」が、それぞれ開示されている。
　そして、刊行物５には「ポリエステル系長繊維不織布およびその製造法」に関して、当該不織布が各種技術分野で利用されると共に、強度や耐摩耗性等「優れた機械的性質」を備えることが指摘され、刊行物６には「長繊維を実質的に相互に結合して成る不織布」により形成された「使い捨てダストクロス」の開示があり、更に、刊行物７には、「スパンボンド式不織布」が、「ガソリンスタンドでの洗車用」に販売されている旨の記載がある。
　しかし、上記刊行物３〜７のいずれにも、「平面図形が長方形を呈する長繊維不織布から成り、その辺に沿う複数の山折りと谷折りとから成る波状に折り曲げたもの」や、それらを「複数個円盤状に接続」して洗浄体を形成することについては、全く記載がないし、また、示唆するものもない。
　そうすると、本件特許発明における上記相違点の構成については、刊行物３〜７にも開示や示唆がないことになるから、本件特許発明は、刊行物３〜７に記載された発明に基づいて、当業者が容易に発明をすることができたものとはいえず、特許異議申立人株式会社ダイフクの主張も採用できない。
　
　４．当審より通知した特許取消理由について
　上述のとおり、当審で通知した、本件特許の取消理由に関して、上記の刊行物１〜７以外のものでは、刊行物８〜１０が引用されている。
　そのうちの刊行物８及び９には、「車輌の艶出し装置」に関して、「断面波状」の「扇形バフ体」を回転体に取り付ける旨の記載があり、特に刊行物８には「断面波状」の「扇形バフ体」を、中央部の切り込みにより、左右に分離して、回転体への取付部を形成することも図示されていると認められるが（第２図参照）、この取付部は「左右に分離した後、内側に曲げて固定」されるものではないし、また、この刊行物８及び９に記載されている「扇形バフ体」は、円筒状回転体の周囲に間隔をおいて取り付けられているから、「複数個円盤状に接続され」ているともいえない。
　ただ、バフ体が「複数個円盤状に接続され」る点については、刊行物１０に、円形の布シート２０をスカート状にして、これを複数個円盤状に連接してバフ体としたものが開示されているが（第１〜４図、第４欄第３２〜６１行参照）、このバフ体は、「平面図形が長方形を呈する」長繊維不織布から成るものでも、「その辺に沿う複数の山折りと谷折りとから成る波状に折り曲げたもの」でもないし、「所定深さの切り込みにより、左右に分離」して回転体に取り付けるというものでもない。
　そうすると、刊行物８〜１０にも、本件特許発明における上記相違点の構成の開示や示唆があるとはいえず、しかも、本件特許発明は、上記相違点の構成を備えることにより、明細書（【００１７】欄）記載のとおり「波型に折り曲げた部分が開くようにして固定されているので、隣合う洗浄体３０、３０の間隔が開くようなことはない」という、独自の作用効果を奏するものと認められる。
　したがって、本件特許発明は、上記刊行物１〜７に加えて、刊行物８〜１０に記載された発明に基づいても、当業者が容易に発明をすることができたものとはいえない。
　
五．［むすび］
　以上のとおりであるから、本件特許は、各特許異議申立人の主張する理由およびその提出した証拠によっては、取り消すことはできないし、また、他に取り消すべき理由を発見しない。
　よって、結論のとおり決定する。
【異議決定日】
平成１４年３月２５日（２００２．３．２５）
【訂正の要旨】
　訂正請求における訂正の要旨は、次のとおりである。
　次のイ、ロのとおりである。
　イ　願書に添付した明細書（以下、「特許明細書」という）における、特許請求の範囲（請求項１）について、
　「回転体に取り付けられ、車体の表面に接触させて該車体の表面を洗浄する、洗浄装置の洗浄体であって、
　前記洗浄体は、長繊維不織布から成ることを特徴とする、車両洗浄装置の洗浄体。」という記載に代えて、
　「回転体に取り付けられ、車体の表面に接触させて該車体の表面を洗浄する、洗浄装置の洗浄体であって、
　前記洗浄体は、平面図形が長方形を呈する長繊維不織布から成り、その辺に沿う複数の山折りと谷折りとから成る波状に折り曲げたものが複数個円盤状に接続されて形成されるものであって、その回転体への取付部は、前記長方形の略中央部に位置する前記波状の折り曲部と一致する位置に入れられた、端部からの所定深さの切り込みにより、左右に分離した後、内側に曲げて固定されていることを特徴とする、車両洗浄装置の洗浄体。」という記載に訂正する。
　ロ　特許明細書の「発明の詳細な説明」の欄において、上記イの訂正事項に関連する箇所（【０００６】欄の「課題を解決するための手段」）について、上記イと同趣旨の訂正をする。
（５４）【発明の名称】
車両洗浄装置の洗浄体
（５７）【特許請求の範囲】
　【請求項１】　回転体に取り付けられ、車体の表面に接触させて該車体の表面を洗浄する、洗浄装置の洗浄体であって、
　前記洗浄体は、
平面図形が長方形を呈する
り、その辺に沿う複数の山折りと谷折りとから成る波状に折り曲げたものが複数個円盤状に接続されて形成されるものであって、その回転体への取付部は、前記長方形の略中央部に位置する前記波状の折り曲部と一致する位置に入れられた、端部からの所定深さの切り込みにより、左右に分離した後、内側に曲げて固定されていること
　を特徴とする、車両洗浄装置の洗浄体。
【発明の詳細な説明】
　【０００１】
　【産業上の利用分野】
　本発明は、回転体に取り付けられた洗浄体を、車体の表面に接触させて該車体の表面を洗浄する洗浄装置の洗浄体に関するものである。
　【０００２】
　【従来の技術】
　洗車装置は、文献名を挙げるまでもなく従来周知で、一般に次のように構成されている。すなわち床面上に敷設された走行レール上を往復動する門形をした走行フレームを主構成要素とし、この走行フレームにトップブラシ、サイドブラシ等の回転ブラシ類、水、洗剤、ワックス等を噴射する各種ノズル、乾燥用のブロワ装置、制御装置等が搭載されている。したがって、これらの装置を使用して自動車の表面を自動的に洗浄するとこができるが、特に回転ブラシを車体の表面に接触させながら回転させ、車体の表面に付着している泥、砂等を洗い落とすことができる。
　ところで、上記のような洗車装置に設けられて、実施されている回転ブラシは、周知のようにブラシ毛から構成されている。そしてブラシ毛は一般にポリエチレン等の樹脂から形成されている。このような合成樹脂製の回転ブラシは、色々な利点を有し多年実用に供されている。例えば水分の吸着量が少なく、必要以上に重量が増すこともなく、凍結の心配もない。さらにはブラシ毛の材質あるいは大きさ等を変えて、引っ張り強度を調節することができ、洗車中にブラシ毛が車両の突起物等に引っかかったとき、引っかかったブラシ毛のみが切れるようにして、車両の突起物を保護し、また回転ブラシ装置自体に無理な力が作用することを避けることができる、等の利点がある。
　【０００３】
　しかしながら、ブラシ毛から構成されている回転ブラシ装置にも、問題点はある。例えばブラシ毛は、ポリエチレン等の軟質な樹脂から形成されてはいるが、洗車中は回転力により遠心力が生じ、ブラシ毛の先端部は車体の表面に打ち付けられ、この打付けられる物理的な作用で洗浄されるので、泥、砂等を車両の塗装面に擦り付けることになり、塗装面を痛めることがある。
　本来車両の洗浄の目的は、車両表面に付着した汚れの除去にあるが、除去操作にともない「洗車傷」という問題がつきまとう。車両表面の汚れの主な物質は、泥、砂、カーボン等であり、これらの物質の中には車両の塗装表面より硬い物質も含まれている。このことは、ブラシ毛の物理的衝撃により洗浄すると、車両の塗装表面に傷痕を付けることを意味している。水、洗剤等で泥、砂などを遊離させながらブラツシングするときでも、遊離した泥、砂などは車両の塗装表面上で、ブラシ毛により物理的に叩きつけられ、撹拌されるので、塗装表面に同様に傷が付く恐れがあることに変わりはない。
　【０００４】
　そこで、織布あるいは不織布から構成された回転ブラシも例えば実開昭６１ー１７７９５８号、実開昭６１ー１８１５２７号等により提案されている。実開昭６１ー１７７９５８号には、繊維シートに補強芯を設けた洗車用ブラシが示されている。したがって、この洗車用ブラシを回転駆動して車体の表面を洗車することができる。また実開昭６１ー１８１５２７号には、回転軸の回りに取付具を介して柔軟なブラシ単体を複数枚取り付けた洗車ブラシが示されている。この洗車ブラシによっても回転軸を駆動して洗車することができる。
　【０００５】
　【発明が解決しようとする課題】
　前述の洗車ブラシも、洗車時に車両表面に接触する材質は、柔軟な繊維から形成されているので、合成樹脂製のブラシ毛に比較すれば、洗車時の塗装表面の保護はある程度期待できる。また補強芯が入れられ、あるいは取付具を介して取り付けられているので、ある程度の剛性も得られ、洗車中に洗車ブラシが回転体にまつわりつくことはないかも知れない。しかしながら、上記従来の織布あるいは不織布から成る洗浄体は、破れて、洗浄中に車両の突起物例えばバックミラー等に引っかかり、これらの突起物等を破損する虞がある問題があった。
　本発明は、上記した従来の問題点に鑑みてなされたもので、洗浄中に車両の塗装面を痛めることがなく、車両の突起物等の破損の問題を解決した車両洗浄装置の洗浄体を提供することを目的としている。
　【０００６】
　【課題を解決するための手段】
　本発明は、上記目的を達成するために、回転体に取り付けられ、車体の表面に接触させて該車体の表面を洗浄する、洗浄装置の洗浄体であって、前記洗浄体は、
平面図形が長方形を呈する
り、その辺に沿う複数の山折りと谷折りとから成る波状に折り曲げたものが複数個円盤状に接続されて形成されるものであって、その回転体への取付部は、前記長方形の略中央部に位置する前記波状の折り曲部と一致する位置に入れられた、端部からの所定深さの切り込みにより、左右に分離した後、内側に曲げて固定されている
　【０００７】
　【作用】
　本発明は、上記のように構成されているので、長繊維不織布から成る洗浄体を回転体の周囲に取付け、回転ブラシを構成する。そして例えば門型をした走行フレームに搭載し、長繊維不織布から成る洗浄体の先端部が車両の表面に多少曲がって接触する状態で、回転体を駆動し、従来の洗浄装置と同様にして車両の表面を洗浄する。このとき門型をした走行フレームには、水、洗剤、ワックス等を噴射する各種ノズルと共に、乾燥用のブロワ装置および制御装置等が必要に応じて搭載された走行フレームを使用することができる。
　【０００８】
　本発明の洗浄体には、長繊維不織布が適している。この材料としては、例えば旭化成（株）のエルタス（登録商標）がある。
　【０００９】
　以下、本発明の第１実施例を図１〜５図により説明する。上記の長繊維不織布から成る洗浄体１は、図１の（イ）に示されているように、長辺の長さＬが６００〜１０００ｍｍ、短辺の幅Ｗが約６０ｍｍの長方形をしている。そして両端部２、２には長手方向に深さが約８０ｍｍの切り込み３、３、…が入れられている。
　洗浄体１の略中央部には、取付穴４、４が設けられ、これらの取付穴４、４を含んだ右半分は第１部分１Ａ、左半分が第２部分２Ａとなっている。またこれらの穴４、４を中心として所定長さの中央部分あるいは固定部側部分５は、メラミン樹脂、アクリル樹脂、フッ素樹脂等の合成樹脂で処理されている。
　この合成樹脂処理は色々な形で実施することができる。例えば固定部側部分５の両表面を、合成樹脂がコーテイング処理することもできる。このときのコーテイングは、取付用の穴４、４の近くを厚くし、先端部２、２に向かって順次薄くするのが望ましい。剛性の変化が滑らかになるからである。また固定部側部分５の片方の面だけを、コーテイング処理することもできる。さらにはコーテイングに代えて、前述したような樹脂を含浸されることもできる。このときも、含浸量を長さ方向に変化を持たせることもできる。
　【００１０】
　洗浄体１を取り付けるための回転体は、本実施例では塩化ビニール樹脂製のパイプすなわち塩ビパイプ１０が適用され、その径は、約１００ｍｍに選定されている。前述の洗浄体１は、複数個用意され、塩ビパイプ１０の回りに、取付穴４、４に丸小ネジ１１、１１を通してねじ込み固定する。このとき、図１の（ロ）に示されているように、隣合う洗浄体１の固定部側部分５、５が互いに接し、且つ図２に示されているように、洗浄体１の第１部分１Ａと、第２部分２Ａの先端部は、塩ビパイプ１０の軸方向にずれるようにして固定する。隣合う洗浄体１の固定部側部分５、５が互いに接するように取り付けることにより、洗浄体１の第１部分１Ａと、第２部分２Ａは互いに反発し、放射方向に略均一に広がる。
　このようにして、塩ビパイプ１０の軸の周りに固定すると共に、軸方向に図３に示されているように、隣合う洗浄体１ー１、１ー２、１ー３を円周方向にずらして、複数段にわたって取付け、複数段に取り付けた合計の幅すなわち軸方向の長さが、洗浄する車体に適した所定長さの回転ブラシ１Ｂを構成する。洗浄体１、１、…を１列に取り付けた状態の平面図は、図１（ロ）に示されている。なお、この図においては、片面のみに合成樹脂のライニング層Ｊを施した例が示されている。
　【００１１】
　このようにして、外形が７００〜１１００ｍｍの上面ブラシ１ＢーＵ、側面ブラシ１ＢーＳ等を形成する。そして例えば従来周知の門型をした走行フレームあるいは本出願人が特願平４ー２０４３３２号で提案した洗車装置に搭載して図４に示されているように、自動車Ｖの上面、側面等を従来の洗車ブラシと同様にして、例えば１００〜２００ｒ・ｐ．ｍで駆動して洗浄する。すなわち洗浄体１の先端部が１００ｍｍ程度車両表面に押し当たり、多少曲がった状態で洗車する。なお、このとき噴射ノズルから水、洗剤等を車両表面に噴射して洗浄できることは勿論である。
　【００１２】
　本実施例によると、色々な効果が得られる。例えば洗浄体１は、固定部側部分５は合成樹脂がコーテイングあるいは含浸され、剛性が高められているので、洗浄体１、１…は、塩ビパイプ１０に取り付けると適当に広がり、洗浄体１は長繊維不織布から形成されているが、洗車中に塩ビパイプ１０にまつわりつくようなことはない。また洗浄体１、１…の外周部は、合成樹脂処理がなされていないので、柔軟なままであり、泥、砂等を車体表面に擦り付けて塗装面を傷つけるようなことはない。
　さらには洗浄体１の合成樹脂処理されている部分は、滑りが良いので、洗浄中にバックミラー等の突起物に洗浄体１、１…が当たっても、突起物を破損することが防止される。また本実施例によると先端部２、２が従来のブラシ毛のように細くなっているので、車両面への細やかな当たりと、柔らかな接触が得られる。
　【００１３】
　図１に示されている第１実施例の洗浄体１は、その略中央部に取付穴４、４が形成され、その両側が第１部分１Ａと、第２部分２Ａとなっていたが、取付穴４、４を含んだ第１部分１Ａあるいは第２部分２Ａのみでも同様に実施できる。その例が図５の（イ）に示されている。すなわち洗浄体１’は、前述の実施例の洗浄体１の約半分の長さで、取付穴４、４を含んだ第１部分１Ａから構成されている。固定部側部分５’は、同様に合成樹脂処理されている。そして図５の（ロ）において右半分で示されているように、取付穴４、４を利用して、丸小ネジ１１、１１で塩ビパイプ１０に取り付けられ、回転ブラシ１Ｂ’が構成されている。
　第１実施例の洗浄体１の別の取付方が図５の（ロ）の左方において示されている。本取付け方法によると、洗浄体１は２枚重ねて塩ビパイプ１０に取り付けられ、回転ブラシ１Ｂ’’が構成されている。このよううに重ねて取り付けると、前述した１枚の場合に比較して腰が強くなる。なお、本変形例によっても洗浄の点では略同様な作用・効果が得られることは明らかである。
　【００１４】
　次に図６〜８により、本発明の第２実施例を説明する。なお、前述した第１実施例と同様な部材、要素等には同じ参照符号を付けて重複説明はしない。
　図６は、第２実施例の洗浄体２０の展開図であるが、同図に示されているように、第２実施例の洗浄体２０は、第１実施例の洗浄体１に比較して幅Ｗ’が約倍の１２０ｍｍである点で相違する。このように幅が倍になっているので、縦の中心線２１で２つに折られている。この折り程度は、洗浄体２０を図７に示されているように、塩ビパイプ１０に取り付けて回転ブラシ２０Ｂを構成し、洗車するとき、切り込み３、３、…の根元において山形に開く程度に折られている。折り形は、図８の（イ）、（ロ）に示されているように、斜面２２、２３がなす角が鋭角になるように、あるいは斜面２２’、２３’が丸みをもってつながるように折られている。
　【００１５】
　本実施例の洗浄体２０も、前述した第１実施例と同様に１重あるいは図７に示されているように、２重にして塩ビパイプ１０に取り付けて洗浄ブラシ２０Ｂが形成される。本実施例によっても第１実施例と同様な作用効果が得られるが、本実施例によると洗浄体１１は、回転中に図８に示されている程度に開くように折られているので、塩ビパイプ１０に粗に取り付けても、外周部では密になり、あるいは均一になり、滑らかな洗浄ができる。また洗浄するとき、車体の表面には山形に折られた斜面２２、２３、２２’、２３’から接触することになり、衝撃が吸収され、車体表面の泥、砂等を塗装面に強く押しつけて傷を付けるようなこともない。また洗車時の騒音も小さくなる。
　本実施例によると洗浄体１１は、縦の中心線２１で２つに折られているので、回転ブラシ２０Ｂで自動車の側面を洗車するとき、頂き２１、２１’が上側に位置するようにすると、泥、砂等が回転ブラシ２０Ｂに溜まることがない。
　なお、図には具体的には示されていないが、洗浄体２０は、取付穴４、４を含む第１あるいは第２部分２０Ａのみでも、第１実施例の図５に関して述べたように、洗浄ブラシ２０Ｂを構成できるることは明らかである。
　【００１６】
　次に、本発明の第３実施例を図９〜１７図により説明する。本実施例に係わる洗浄体３０は、幅Ｗが３００〜５００ｍｍの長繊維不織布が用いられ、固定部側部分５’は、前述した実施例と同様に合成樹脂処理されている。そして先端部２には切り込み３、３、…が入れられている。また合成樹脂処理された略中央部には、固定部側部分５の端部から所定深さＦの切り込み３６が、後述する谷折り線に一致するように入れられている。
　このような洗浄体３０には、図９において１点鎖線３２、３２、…が山３２’、３２’、…になり、そして鎖線３３、３３、…が谷３３’、３３’、…になり、山３２’から谷３３’までの深さが略６０ｍｍになるように折り曲げられている。この状態は、図１０に示されている。
　合成樹脂処理された下端部分は、切込み３６を挟んで左右に分離され、図１２に示されているように、右方の取付部３１ー１と、左方の取付部３１ー２とが形成されている。そしてこれ等の取付部３１ー１、３１ー２は、折り曲げた部分が開かないように、例えば図１３において鎖線３７で示されているように、略Ｕ字型に縫いつけられている。そして縫いつけられた内側に取付穴４、４が明けられている。
　【００１７】
　上記のように構成された洗浄体３０は、左右の取付部３１ー１、３１ー２を内側に曲げて図１４に示されているように、塩ビパイプ１０に丸小ネジ１１、１１で固定して、４個の洗浄体３０から１列目の洗浄ブラシ３０Ｂが構成される。塩ビパイプ１０の径は約１００ｍｍであるから、洗浄ブラシ３０Ｂの直径は、７００〜１１００ｍｍになる。
　本実施例の洗浄ブラシ３０Ｂによっても、前述した第２実施例のようにして洗車できることは明らかである。本実施例によると、洗浄体３０の左右の取付部３１ー１、３１ー２を内側に曲げて塩ビパイプ１０に固定されているので、すなわち波型に折り曲げた部分が開くようにして固定されているので、隣合う洗浄体３０、３０の間隔が開くようなことはない。
　【００１８】
　第３実施例も、色々変形できる。例えば清浄体３０は、波型に折り曲げられるが、その形状は、図１１に示されているように、丸みを持たせることができる。なお、取付部３１ー１、３１ー２は、折り曲げた部分が開かないように、縫いつけられるので、丸みは無くなる。また洗浄ブラシ３０Ｂの側縁の外周部３１、３１は隣合う洗浄ブラシ３０Ｂの外周部３１、３１に、接着剤、縫い込み、溶着等で接続し、円盤状の洗浄ブラシ３０Ｂ’とすることもできる。このように接続した洗浄ブラシ３０Ｂ’は図１７に示されている。なお、図１７には左右の取付部３１ー１、３１ー２が重ねられて塩ビパイプ１０に丸小ネジ１１、１１で固定された例が示されている。
　また図１５、１６には、波型に折り曲げる他の例が示されている。すなわち１点鎖線３５、３５が山になるように、そして鎖線３６、３６が谷になるように折り曲げられているが、山も谷も所定幅の面を有し、図１６に示されているように、全体として台形あるいはパルス波形に折り曲げた例が示されている。
　なお、パルス波形は、固定部側部分５’に向かって、上辺および下辺は徐々に狭くなり、固定部側部分５’ではパルス波形は崩れる。
　【００１９】
　次に第４実施例を図１８〜図２１より説明する。本実施例によると、洗浄体４０は、図１８に示されているように、略長方形をし、その長辺Ｌは３００〜５００ｍｍで、その両先端部２、２に切り込み３、３、…が入れられている。そして中央部の固定部側部分５は、前述した実施例と同様に合成樹脂処理されている。
　このように構成されている洗浄体４０は、切り込み３、３、…が入れられている両端部が、端に位置するように、渦巻状に巻かれ、そして固定部側部分５は図１９に示されているように、押しつぶされて所定長さの２本の縫い込み線４３、４３で縫い込まれている。縫い込み線４３、４３の内側に取付穴４、４が明けられている。このようにして、直径が約７０ｍｍ、長さが６００ｍｍ〜１０００ｍｍの洗浄体４０が形成されている。
　【００２０】
　洗浄体４０、４０、…は、中央部で折り曲げられ、取付穴４、４を利用して丸小ネジ１１、１１で塩ビパイプ１０に固定される。このとき洗浄体４０、４０、…は、１重に取り付けることもできるが、図２０には２個重ねて固定して回転ブラシ４０Ｂを構成した例が示されている。
　本実施例によると、洗浄体４０、４０、…は、断面が円形になるように卷かれているので、第２実施例と同様な作用・効果が得られる。
　本実施例も色々変形できる。例えば図１８に示されている第１部分４０Ａだけでも実施できる。このことは、前述した図５に（イ）に関する説明からも明らかである。
　また図２１に示されているように、洗浄体４０’を形成することもできる。すなわち渦巻状に巻く代わりに、洗浄体４０’を２つ折にして縫い込み線４７で長手方向に中央部を所定長さ縫い込み、縫い込み線４７が中央に位置するようにして両サイドを、図１９に関して説明したように、さらに縫い込み、縫い込んだ内側に取付穴を形成する。本変形例によっても同様な効果が得られることは明らかである。
　【００２１】
　最後に図２２〜２７により本発明の第５実施例を説明する。本実施例によると、５枚の素材５０Ｓ、Ｓ、…から洗浄体５０が形成される。それぞれの素材５０Ｓには、前述の実施例の素材と同様に、長繊維不織布が適用されている。そして先端部２には切り込み３、３、が入れられ、固定側部分５’は同様に合成樹脂処理されている。
　５枚の素材５０Ｓ、Ｓ、…は、図２２に示されているように、重ねられた状態に配置され、下端部から高さｈの点において略中間部５２で縫い込まれ、一体化されている。また同じ位置において端部の素材５０Ｓに長繊維不織布の繋ぎ部材５３が縫い込まれている。
　【００２２】
　このように、繋がれた素材５０Ｓ、Ｓ、…は、図２３に示されているように、それぞれが渦巻状に卷かれている。そして固定側部分５’の端部を矢印Ｙ、Ｙ方向に圧接し、圧接した部分を図２４に示されているように、略Ｕ字形の縫い込み線５４に沿って縫い込み、その内部に取付穴４、４が明けられている。このようにして、先端部の直径が約７０ｍｍ、長さ３００〜５００ｍｍの洗浄体５０が構成されている。
　このような洗浄体５０が８個用意され、一方の洗浄体５０の繋ぎ部材５３を他方の洗浄体５０の対応する部分に縫い込みにより接続され、以下同様にして円盤状に接続される。そして取付穴４、４により、塩ビパイプ１０に固定され、図２６に示されているように、洗浄ブラシ５０Ｂが形成されている。
　本実施例による洗浄体５０、５０、…は、渦巻状に卷かれているので、第３実施例と同様な作用を奏し、同様な効果が得られることは明らかである。
　【００２３】
　本実施例も色々変形できる。例えば洗浄ブラシ５０Ｂを８個の洗浄体５０、５０、…から円盤状に構成する代わりに、２個の洗浄体５０、５０を繋ぎ部材５３で接続し、これをユニットとして４個形成して、図１４に示されているように塩ビパイプ１０に固定してもよい。また前述の実施例では、固定側部分５’の端部を矢印Ｙ、Ｙ方向に圧接したが、圧接部分を切り込み３、３、…近くまで延ばすこともできる。すなわち固定側部分５’と切り込み３、３、…の根元部との間の断面形状を楕円形にすることもできる。
　【００２４】
　さらに、図２７に示されているように、２枚の素材５０Ｓ’、５０Ｓ’を重ね、重ねた素材５０Ｓ’、５０Ｓ’の端部の一部が、他の素材５０Ｓ’、５０Ｓ’の端部に一部が重なるように配置する。そして縫い込み線５５、５５で接続する。接続してから重ねた素材５０Ｓ’、５０Ｓ’を矢印Ｒ１、Ｒ２方向にそれぞれ広げると、重ねられた素材５０Ｓ’、５０Ｓ’は断面が円形になる。したがって、前述の断面が渦巻状の円形の洗浄体５０と同様にして、固定側部分５’の端部を圧接し、略Ｕ字形の縫い込み線に沿って縫い込み、その内部に取付穴を明けて洗浄体５０Ｂ’を構成する。本実施例によっても、図１９、２１、２３に示されている実施例と同様な作用・効果が得られることは明らかである。
　【００２５】
　【発明の効果】
　以上のように、本発明によれば、回転体に取り付けられ、車体の表面に接触させて該車体の表面を洗浄する、洗浄装置の洗浄体が、長繊維不織布から成るので、洗浄中に車両の塗装面を痛めることがなく、また破れ難くでき、洗浄体が破れて車両の突起物等に引っかかり、これらの突起物を破損することを防止できるという、本発明に特有の効果が得られる。
【図面の簡単な説明】
　【図１】本発明の第１実施例を示す図で、その（イ）は洗浄体の第１実施例を示す平面図、（ロ）は洗浄体を塩ビパイプに１列に取り付けた状態を示す側面図である。
　【図２】第１実施例の１個の洗浄体を塩ビパイプに取り付けた状態を示す正面図である。
　【図３】第１実施例の洗浄体を塩ビパイプに軸方向に取り付けた部分的状態を示す展開図である。
　【図４】第１実施例の洗浄ブラシを使用した洗車状態を示す正面図である。
　【図５】図５の（イ）は第１実施例の洗浄体の変形例を示す平面図、（ロ）はその回転ブラシの一部と、他の固定方とを示す側面図である。
　【図６】本発明の洗浄体の第２実施例を示す平面図である。
　【図７】図６に示されている洗浄体で構成された回転ブラシの一部を示す側面図である。
　【図８】図７において、矢印方向８ー８で見た断面図で、（イ）、（ロ）はそれぞれ異なる例を示す断面図である。
　【図９】本発明の洗浄体の第３実施例を示す平面図である。
　【図１０】第３実施例の洗浄体を折り曲げた状態で示す図で、図１４において矢印方向１０ー１０で見た断面図ある。
　【図１１】第３実施例の洗浄体を折り曲げた他の状態を示す図で、図１４において矢印方向１０ー１０で見た図に相当する他の断面図ある。
　【図１２】第３実施例の洗浄体を折り曲げた状態の平面図である。
　【図１３】第３実施例の洗浄体を折り曲げた状態の側面図である。
　【図１４】図９に示されている洗浄体で構成された回転ブラシの側面図である。
　【図１５】本発明の洗浄体の第３実施例の変形例を示す平面図である。
　【図１６】第３実施例の変形例の洗浄体を折り曲げた状態で示す図で、図１７において矢印方向１６ー１６で見た図に相当する断面図ある。
　【図１７】第３実施例の洗浄体で構成された回転ブラシの側面図である。
　【図１８】本発明の洗浄体の第４実施例を示す平面図である。
　【図１９】本発明の洗浄体の第４実施例の形成状態を示す斜視図である。
　【図２０】図１８に示されている洗浄体で構成された回転ブラシの一部を示す側面図である。
　【図２１】本発明の洗浄体の第４実施例の変形例を示す斜視図である。
　【図２２】本発明の洗浄体の第５実施例を示す斜視図である。
　【図２３】本発明の洗浄体の第５実施例の形成状態を示す斜視図である。
　【図２４】本発明の洗浄体の第５実施例の形成状態を示す側面図である。
　【図２５】本発明の洗浄体の第５実施例の平面図である。
　【図２６】本発明の洗浄体の第５実施例で構成された回転ブラシを示す側面図である。
　【図２７】本発明の洗浄体の第５実施例の変形例を示す斜視図である。
　【符号の説明】
　１、２０、３０、４０、５０　　　洗浄体（長繊維不織布）
　２、２　　　　　　　　　　　　　先端部
　５、５’　　　　　　　　　　　　塩ビパイプ（回転体）に固定される側
　１０　　　　　　　　　　　　　　塩ビパイプ（回転体）
　Ｊ　　　　　　　　　　　　　　　樹脂のライニング層